(57)【特許請求の範囲】
【請求項１】
入力画像信号を表示用画像信号に変換するγ変換のルールを設定する変換ルール設定方法であって、
第１色の光を発する第１画素と、前記第１色とは異なる第２色の光を発する第２画素と、前記第１及び第２色の光とは異なる第３色の光を発する第３画素とが配列された表示部を準備する準備工程と、
前記第１階調に応じて前記第１から第３画素を同時に発光させつつ前記第１から第３画素から発せられる光の輝度及び色度を測定する第１測定工程と、
前記第１階調とは異なる前記第２階調に応じて前記第１から第３画素を同時に発光させつつ前記第１から第３画素から発せられる光の輝度及び色度を測定する第２測定工程と、
前記第１測定工程で測定された輝度及び色度と、前記第１から第３色の光の色度とを用いて色分解の原理に基づく色分解の演算を行うことにより、前記第１階調に応じて前記第１画素から発せられる光の輝度を算出する第１取得工程と、
前記第２測定工程で測定された輝度及び色度と、前記第１から第３色の光の色度とを用いて色分解の原理の基づく色分解の演算を行うことにより、前記第２階調に応じて前記第１画素から発せられる光の輝度を算出する第２取得工程と、
前記第１及び第２取得工程でそれぞれ得られた輝度に基づき、前記第１画素に係る階調と輝度との関係を導出する導出工程と、
設定上の白色の階調に応じて前記第１から第３画素が同時に発光する際に、前記第１から第３画素から発せられる前記設定上の白色の光の輝度及び色度と、前記第１から第３色の光の色度とを用いた色分解の原理に基づく色分解の演算を行うことにより、前記設定上の白色の階調に応じて前記第１画素から発せられる前記第１色の光の最大輝度を算出する算出工程と、
前記第１画素に係る階調と輝度との関係である階調特性を、前記第１色の光の最大輝度で規格化することによって、前記第１色に係るγ変換ルールを設定する設定工程を備えることを特徴とする変換ルール設定方法。
【請求項２】
請求項１に記載の変換ルール設定方法であって、
前記第１取得工程において、前記第１測定工程で測定された輝度及び色度と、前記第１から第３色の光の色度とを用いて色分解の原理に基づく色分解の演算を行うことにより、前記第１階調に応じて前記第１から第３画素からそれぞれ発せられる光の輝度を算出し、
前記第２取得工程において、 前記第２測定工程で測定された輝度及び色度と、前記第１から第３色の光の色度とを用いて色分解の原理に基づく色分解の演算を行うことにより、 前記第２階調に応じて前記第１から第３画素からそれぞれ発せられる光の輝度を算出し、
前記算出工程において、前記設定上の白色の光の輝度及び色度と、前記第１から第３色の光の色度とを用いた色分解の原理に基づく色分解の演算を行うことにより、前記設定上の白色の階調に応じて前記第１から第３画素からそれぞれ発せられる前記第１から第３色の光の最大輝度を算出し、
前記導出工程において、前記第１及び第２取得工程でそれぞれ得られた輝度に基づき、前記第１から第３画素に係る階調と輝度との関係を導出し、
前記設定工程において、前記第１から第３画素に係る階調と輝度との関係である階調特性を、前記第１色から第３色の光の最大輝度でそれぞれ規格化することによって、前記第１から第３色に係るγ変換ルールを設定することを特徴とする変換ルール設定方法。
【請求項３】
請求項１又は請求項２に記載の変換ルール設定方法であって、
前記第１及び第２階調が、前記第１及び第２階調に応じて前記第１画素が前記第１色の光それぞれを発し、前記第１及び第２階調に応じて前記第２画素が前記第２色の光をそれぞれ発し、前記第１及び第２階調に応じて前記第３画素が前記第３色の光をそれぞれ発するように設定されたことを特徴とする変換ルール設定方法。
【請求項４】
請求項１から請求項３のいずれかに記載の変換ルール設定方法によって設定された階調変換ルールを示す情報を記憶している所定の記憶部を搭載した画像表示装置。
【発明の詳細な説明】
【技術分野】
【０００１】
本発明は、入力画像信号を表示用画像信号に変換する変換ルールを設定する変換ルール設定方法、及び画像表示装置に関する。
【背景技術】
【０００２】
従来より、電界発光を利用した有機ＥＬ（Electroluminescence）素子を備える有機ＥＬパネルが知られている。そして、有機ＥＬパネルとしては、赤（Ｒ）緑（Ｇ）青（Ｂ）の３色の光を発する多数の画素が配列されたものが一般的である。
【０００３】
この有機ＥＬパネルでは、ＲＧＢの各画素における電流発光効率が異なるため、各画素に同じ電流を流しても、所望の白色の輝度と色度が得られない。
【０００４】
したがって、所望の白色の輝度と色度とを実現するためには、各有機ＥＬパネルについて、ＲＧＢの画素毎に表示用の階調の最大値を決定して、いわゆるγ変換のルールを設定する必要がある。このγ変換のルールの設定には、各色の画素に係る表示用の階調と輝度との関係、及び所望の白色の輝度と色度とを実現する各色の表示用の階調を得ることが必須となる。
【０００５】
なお、有機ＥＬディスプレイのγ特性の測定方法ならびに調整方法については、例えば、特許文献１に示すような技術が提案されている。
【０００６】
【特許文献１】特開２００３−１７９８３４号公報
【発明の開示】
【発明が解決しようとする課題】
【０００７】
しかしながら、各色の画素に係る表示用の階調と輝度との関係、及び所望の白色の輝度と色度とを実現する各色の表示用の階調を得るためには、各色の画素について表示用の階調を細かく変更させながら光学的な測定をしなければならない。このため、γ変換のルールの設定に長時間を要してしまう。
【０００８】
本発明は、上記課題に鑑みてなされたものであり、入力画像信号を表示用画像信号に変換する変換ルールを高速で設定可能な技術を提供することを目的とする。
【課題を解決するための手段】
【０００９】
上記の課題を解決するために、請求項１の発明は、入力画像信号を表示用画像信号に変換する変換ルールを設定する変換ルール設定方法であって、第１色の光を発する第１画素と、前記第１色とは異なる第２色の光を発する第２画素と、前記第１及び第２色の光とは異なる第３色の光を発する第３画素とが配列された表示部を準備する準備工程と、第１階調に応じて前記第１画素から発せられる光の輝度を取得する第１取得工程と、前記第１階調とは異なる第２階調に応じて前記第１画素から発せられる光の輝度を取得する第２取得工程と、前記第１及び第２取得工程でそれぞれ得られた輝度に基づき、前記第１画素に係る階調と輝度との関係を導出する導出工程と、設定上の白色の階調に応じて前記第１から第３画素が同時に発光する際に、前記第１から第３画素から発せられる前記設定上の白色の光の輝度及び色度と、前記第１から第３色の光の色度とを用いた色分解により、前記設定上の白色の階調に応じて前記第１画素から発せられる前記第１色の光の最大輝度を算出する算出工程と、前記第１画素に係る階調と輝度との関係と、前記第１色の光の最大輝度とに基づき、前記第１色に係る変換ルールを設定する設定工程とを備えることを特徴とする。
【００１０】
また、請求項２の発明は、請求項１に記載の変換ルール設定方法であって、前記第２取得工程が、前記第２階調に応じて前記第１画素から発せられる光の輝度を測定する工程を含むことを特徴とする。
【００１１】
また、請求項３の発明は、請求項２に記載の変換ルール設定方法であって、前記第１取得工程が、前記第１階調に応じて前記第１画素から発せられる光の輝度を測定する工程を含むことを特徴とする。
【００１２】
また、請求項４の発明は、請求項２に記載の変換ルール設定方法であって、前記第１階調に応じて前記第１から第３画素を同時に発光させつつ前記第１から第３画素から発せられる光の輝度及び色度を測定する第１測定工程を更に備え、前記第１取得工程が、前記第１測定工程で測定された輝度及び色度と、前記第１から第３色の光の色度とを用いた色分解により、前記第１階調に応じて前記第１画素から発せられる光の輝度を算出する工程を含むことを特徴とする。
【００１３】
また、請求項５の発明は、請求項１に記載の変換ルール設定方法であって、前記第１階調に応じて前記第１から第３画素を同時に発光させつつ前記第１から第３画素から発せられる光の輝度及び色度を測定する第１測定工程と、前記第２階調に応じて前記第１から第３画素を同時に発光させつつ前記第１から第３画素から発せられる光の輝度及び色度を測定する第２測定工程とを更に備え、前記第１取得工程が、前記第１測定工程で測定された輝度及び色度と、前記第１から第３色の光の色度とを用いた色分解により、前記第１階調に応じて前記第１画素から発せられる光の輝度を算出する工程を含み、前記第２取得工程が、前記第２測定工程で測定された輝度及び色度と、前記第１から第３色の光の色度とを用いた色分解により、前記第２階調に応じて前記第１画素から発せられる光の輝度を算出する工程を含むことを特徴とする。
【００１４】
また、請求項６の発明は、請求項１に記載の変換ルール設定方法であって、前記第１取得工程において、前記第１階調に応じて前記第１から第３画素からそれぞれ発せされる光の輝度を取得し、前記第２取得工程において、前記第２階調に応じて前記第１から第３画素からそれぞれ発せされる光の輝度を取得し、前記算出工程において、前記設定上の白色の光の輝度及び色度と、前記第１から第３色の光の色度とを用いた色分解により、前記設定上の白色の階調に応じて前記第１から第３画素からそれぞれ発せられる前記第１から第３色の光の最大輝度を算出し、前記設定工程において、前記第１から第３画素に係る階調と輝度との関係と、前記第１色から第３色の光の最大輝度とに基づき、前記第１から第３色に係る変換ルールを設定することを特徴とする。
【００１５】
また、請求項７の発明は、請求項６に記載の変換ルール設定方法であって、前記第２取得工程が、前記第２階調に応じて前記第１から第３画素からそれぞれ発せられる光の輝度及び色度を測定する工程を含むことを特徴とする。
【００１６】
また、請求項８の発明は、請求項７に記載の変換ルール設定方法であって、前記第１取得工程が、前記第１階調に応じて前記第１から第３画素からそれぞれ発せられる光の輝度を測定する工程を含むことを特徴とする。
【００１７】
また、請求項９の発明は、請求項７に記載の変換ルール設定方法であって、前記第１階調に応じて前記第１から第３画素を同時に発光させつつ前記第１から第３画素から発せられる光の輝度及び色度を測定する第１測定工程を更に備え、前記第１取得工程が、前記第１測定工程で測定された輝度及び色度と、前記第１から第３色の光の色度とを用いた色分解により、前記第１階調に応じて前記第１から第３画素からそれぞれ発せられる光の輝度を算出する工程を含むことを特徴とする。
【００１８】
また、請求項１０の発明は、請求項６に記載の変換ルール設定方法であって、前記第１階調に応じて前記第１から第３画素を同時に発光させつつ前記第１から第３画素から発せられる光の輝度及び色度を測定する第１測定工程と、前記第２階調に応じて前記第１から第３画素を同時に発光させつつ前記第１から第３画素から発せられる光の輝度及び色度を測定する第２測定工程とを更に備え、前記第１取得工程が、前記第１測定工程で測定された輝度及び色度と、前記第１から第３色の光の色度とを用いた色分解により、前記第１階調に応じて前記第１から第３画素からそれぞれ発せられる光の輝度を算出する工程を含み、前記第２取得工程が、前記第２測定工程で測定された輝度及び色度と、前記第１から第３色の光の色度とを用いた色分解により、前記第２階調に応じて前記第１から第３画素からそれぞれ発せられる光の輝度を算出する工程を含むことを特徴とする。
【００１９】
また、請求項１１の発明は、請求項１から請求項１０のいずれかに記載の変換ルール設定方法であって、前記第１及び第２階調が、前記第１及び第２階調に応じて前記第１画素が前記第１色の光それぞれを発し、前記第１及び第２階調に応じて前記第２画素が前記第２色の光をそれぞれ発し、前記第１及び第２階調に応じて前記第３画素が前記第３色の光をそれぞれ発するように設定されたことを特徴とする。
【００２０】
また、請求項１２の発明は、請求項１から請求項１１のいずれかに記載の変換ルール設定方法によって設定された階調変換ルールを示す情報を記憶している所定の記憶部を搭載した画像表示装置である。
【発明の効果】
【００２１】
請求項１から請求項１１のいずれに記載の発明によっても、２つの階調に応じて画素から発せられる光の輝度に基づき、入力画像信号を表示用画像信号に変換する変換ルールが設定されるため、光学的な測定に要する時間が短縮される。したがって、入力画像信号を表示用画像信号に変換する変換ルールを高速で設定することができる。
【００２２】
また、請求項２から請求項４のいずれに記載の発明によっても、１つの階調に応じて１色の画素から発せられる光の輝度が測定で直接得られるため、計算誤差が低減され、変換ルールの高精度な設定が可能となる。
【００２３】
また、請求項３に記載の発明によれば、２つの階調に応じて１色の画素から発せられる光の輝度が測定で直接得られるため、計算誤差が更に低減され、変換ルールの設定における精度が更に高まる。
【００２４】
また、請求項５に記載の発明によれば、２回の測定で、１色の変換ルールが設定されるため、測定に要する時間が更に短縮される。
【００２５】
また、請求項６から請求項１０のいずれに記載の発明によっても、２つの階調に応じて３色の画素から発せられる光の輝度に基づき、３色について、入力画像信号を表示用画像信号に変換する変換ルールが設定されるため、光学的な測定に要する時間が短縮される。したがって、３色の変換ルールの設定を高速で行うことができる。
【００２６】
また、請求項７から請求項９のいずれに記載の発明によっても、１つの階調に応じて３色の画素から発せられる光の輝度及び色度が測定で直接得られるため、計算誤差が低減され、変換ルールの高精度な設定が可能となる。また、各色の色度が変動するような条件であっても、精度良く変換ルールが設定される。
【００２７】
また、請求項８に記載の発明によれば、２つの階調に応じて３色の画素から発せられる光の輝度や色度が測定で直接得られるため、計算誤差が更に低減され、変換ルールの設定における精度が更に高まる。
【００２８】
また、請求項９に記載の発明によれば、４回の測定で、３色の変換ルールが設定されるため、測定に要する時間が短縮される。
【００２９】
また、請求項１０に記載の発明によれば、２回の測定で、３色の変換ルールが設定されるため、測定に要する時間が更に短縮される。
【発明を実施するための最良の形態】
【００３０】
以下、本発明の実施形態を図面に基づいて説明する。
【００３１】
＜用語説明＞
本明細書で言う各色の「階調」は、各色の明るさの度合いを示すパラメータとして用いられるものであり、例えば、所定ビット（例えば８ビット）の階調表現では、各色の階調が、最小値（例えば０階調）となる場合が最も暗く再現されることを意味し、最大値（例えば２５５階調）となる場合が最も明るく再現されることを意味している。
【００３２】
＜第１実施形態＞
＜ルール設定システムの概要＞
図１は、本発明の第１実施形態に係るルール設定システム１の概要を示す図である。このルール設定システム１は、入力画像信号を、表示部１０に付与する表示用画像信号に変換する変換ルール、すなわち入力される画像信号の階調（入力階調）を、表示用画像信号の階調（表示用階調）に変換する変換ルール（ここでは、階調変換ルール）を設定するシステムである。
【００３３】
ルール設定システム１は、画像表示装置１００、自動光学測定器２００、及び設定用ＰＣ３００を備えて構成される。画像表示装置１００と設定用ＰＣ３００とが、データの送受信が可能な態様で接続され、更に、自動光学測定器２００と設定用ＰＣ３００とが、データの送受信が可能な態様で接続されている。
【００３４】
画像表示装置１００は、表示部１０、制御部２０、及び記憶部３０を備えている。表示部１０は、有機ＥＬパネルを備えて構成される。制御部２０は、例えば、ＣＰＵやＲＡＭ等を備え、記憶部３０に格納されたプログラムを読み込んで実行することで、各種機能や動作を実現する。なお、制御部２０における各種機能は、適宜専用の電子回路によって構成されても良い。記憶部３０は、ＥＥＰＲＯＭ等を備えて構成され、例えば、階調変換ルールを示す情報等を記憶する。
【００３５】
自動光学測定器２００は、光源（ここでは、表示部１０）から発せられる光の輝度及び色度を測定するものであり、設定用ＰＣ３００からの制御信号に応じて、輝度及び色度の測定を行って、測定結果を示す情報を設定用ＰＣ３００に送信する。
【００３６】
設定用ＰＣ３００は、例えば、パーソナルコンピュータ（パソコン）等によって構成され、自動光学測定器２００による測定結果に基づき、階調変換ルールを設定する。
【００３７】
＜ルール設定システムの機能構成＞
図２は、ルール設定システム１の機能構成を示すブロック図である。
【００３８】
表示部１０は、有機ＥＬパネル１１、ＸドライバＸｄ、及びＹドライバＹｄを備えている。有機ＥＬパネル１１は、略長方形の輪郭を有する有機ＥＬディスプレイ（organic electroluminescence display）を含み、有機材料に電流を流すことで材料自らが発光する自発光型の発光素子を有する。この有機ＥＬパネル１１には、赤（Ｒ）色の光を発する画素（Ｒ画素）Ｃｒと、緑（Ｇ）色の光を発する画素（Ｇ画素）Ｃｇと、青（Ｂ）色の光を発する画素（Ｂ画素）Ｃｂとによって構成される絵素が格子状に配列されている。つまり、有機ＥＬパネル１１には、Ｒ画素を構成する画素回路、Ｇ画素を構成する画素回路、及びＢ画素を構成する画素回路を含む多数の画素回路が配列されている。
【００３９】
また、有機ＥＬパネル１１は、発光輝度に対応する画像信号（画素データ信号）を各画素回路に供給するための画像信号線と、該画像信号線に対して略直交するように設けられ、各画素回路に走査信号を供給するための走査信号線とを有する。なお、走査信号は、各画素回路に画像信号線を介して画素データ信号を供給するタイミングを制御する信号である。
【００４０】
ＸドライバＸｄは、画像信号線に対して電気的に接続され、画素データ信号を画像信号線に供給するタイミングを制御する回路（画像信号線駆動回路）である。ＹドライバＹｄは、走査信号を走査信号線に供給するタイミングを制御する回路（走査信号線駆動回路）である。
【００４１】
制御部２０は、階調設定部２１、記憶制御部２２、γ変換部２３、及びタイミングジェネレータ（ＴＧ）２４を備えている。
【００４２】
階調設定部２１は、設定用ＰＣ３００の階調・測定制御部３１１（後述）からの階調を示す信号に応じて、階調参照テーブル３２（後述）を参照しつつ、階調を設定し、その設定した階調に係る信号をＸドライバＸｄに付与する。例えば、γ変換が６ビットで表現される階調を示す入力画像信号を１０ビットで表現される階調を示す表示用画像信号に変換するものである場合には、階調設定部２１では、階調・測定制御部３１１から６ビットで表現される階調を示す信号が入力され、階調参照テーブル３２に応じて、１０ビットで表現される階調を示す信号が設定される。そして、この設定された階調に係る信号がＸドライバＸｄに付与されると、ＴＧ２４（後述）からの信号により、有機ＥＬパネル１１が階調設定部２１で設定された階調に応じて発光する。
【００４３】
記憶制御部２２は、設定用ＰＣ３００の変更ルール設定部３１６（後述）で設定された階調変換ルールを示す変換テーブル３１を記憶部３０に記憶させる。
【００４４】
γ変換部２３は、いわゆるガンマ（γ）補正により、外部装置より入力されてきた画像データを構成する各画素の階調（入力階調）を示す入力画像信号を、表示部１０の特性に合わせた表示用画像信号に変換する。具体的には、入力画像信号の入力に応じて表示部１０で画像を表示させる際に、γ変換部２３は、記憶部３０に格納された変換テーブル３１に基づき、入力画像信号を表示用画像信号に変換するガンマ補正を行う。より詳細には、γ変換部２３は、Ｒ色の入力階調がＤｒ、Ｇ色の入力階調がＤｇ，Ｂ色の入力階調がＤｂである入力画像信号を受け付け、変換テーブル３１に従って、Ｒ色の表示用の階調がＤｒ’、Ｇ色の表示用の階調がＤｇ’、Ｂ色の表示用の階調がＤｂ’の表示用画像信号に変換する。このγ変換部２３における画像信号の変換により、例えば、６ビットの入力画像信号が１０ビットの表示用画像信号に変換される。そして、画像表示の時には、γ変換部２３で変換された表示用画像信号が、ＸドライバＸｄに入力される。
【００４５】
ＴＧ２４は、ＸドライバＸｄ及びＹドライバＹｄに対して、ＸドライバＸｄ及びＹドライバＹｄの動作を制御するための信号を出力する。
【００４６】
記憶部３０は、変換テーブル３１の他、階調変換ルールを設定する際に使用される階調参照テーブル３２が格納される。なお、γ変換部２３で、Ｎ（Ｎは自然数）ビットの入力画像信号が、Ｍ（ＭはＮよりも大きな自然数）ビットの表示用画像信号に変換される場合、変換テーブル３１は、各色について、全２N段階の各階調に対し、２M段階の階調で表現される階調を対応付けたものとなる。また、階調参照テーブル３２は、全２N段階の各階調に対し、２M段階の階調を均等に割り付けた情報を示すものである。
【００４７】
設定用ＰＣ３００は、ＰＣ制御部３１０、及びＰＣ記憶部３２０を備えている。ＰＣ制御部３１０は、ＣＰＵやＲＯＭやＲＡＭ等を備え、ＰＣ記憶部３２０に格納されたプログラムＰＧを読み込んで実行することにより、各種機能や動作を実現する。
【００４８】
ＰＣ記憶部３２０は、ハードディスク等を備え、プログラムＰＧ、色度情報ＣＤ、及び目標情報ＤＤを格納している。プログラムＰＧは、階調変換ルールの設定動作を実現するための専用のプログラムである。色度情報ＣＤは、表示部１０から発せられるＲ色の光の色度、Ｇ色の光の色度、及びＢ色の光の色度を示す情報であり、各色の光の色度は、ＲＧＢ画素の素材及び膜厚等といった設計によって予め決められる。目標情報ＤＤは、白色として設定したい色、すなわち設定上の白色（以下「目標白色」と称する）の階調に応じて表示部１０で実現すべき輝度及び色度を示す情報である。より具体的には、目標情報ＤＤは、目標白色の階調に応じてＲＧＢ画素Ｃｒ，Ｃｇ，Ｃｂが同時に発光する際にＲＧＢ画素Ｃｒ，Ｃｇ，Ｃｂから発せられる目標白色の光の輝度及び色度を示す。
【００４９】
ＰＣ制御部３１０は、階調・測定制御部３１１、白色発光情報取得部３１２、各色輝度算出部３１３、階調特性導出部３１４、最大輝度算出部３１５、及び変換ルール設定部３１６を機能として備えている。
【００５０】
階調・測定制御部３１１は、入力階調と同じ段階数の階調を順次に設定して、その階調を示す信号を階調設定部２１に対して送信するとともに、自動光学測定器２００による測定を制御する信号を自動光学測定器２００に対して送信する。この階調・測定制御部３１１により、表示部１０を発光させるタイミングと、自動光学測定器２００による測定タイミングとが同期される。
【００５１】
白色発光情報取得部３１２は、所定の階調に応じてＲＧＢ画素Ｃｒ，Ｃｇ，Ｃｂを同時に発光させた際における自動光学測定器２００の測定結果を取得する。具体的には、白色発光情報取得部３１２は、第１階調に応じてＲＧＢ画素Ｃｒ，Ｃｇ，Ｃｂから発せられる光の輝度と色度とを示す情報、及び第２階調に応じてＲＧＢ画素Ｃｒ，Ｃｇ，Ｃｂから発せられる光の輝度と色度とを示す情報を取得する。
【００５２】
各色輝度算出部３１３は、所定の階調に応じて白色発光情報取得部３１２によって取得された輝度と色度を示す情報と、ＰＣ記憶部３２０に格納された色度情報ＣＤとに基づき、所定の階調に応じてＲＧＢ画素Ｃｒ，Ｃｇ，Ｃｂを別々に発光させる際にＲＧＢ画素Ｃｒ，Ｃｇ，Ｃｂからそれぞれ発せられる光の輝度をそれぞれ算出する。ここでは、第１階調に応じたＲ画素Ｃｒの輝度、第１階調に応じたＧ画素Ｃｇの輝度、第１階調に応じたＢ画素Ｃｂの輝度、第２階調に応じたＲ画素Ｃｒの輝度、第２階調に応じたＧ画素Ｃｇの輝度、及び第２階調に応じたＢ画素Ｃｂの輝度がそれぞれ算出される。
【００５３】
階調特性導出部３１４は、各色輝度算出部３１３で算出された第１及び第２階調に係る６つの輝度に基づき、Ｒ画素Ｃｒに係る階調と輝度との関係、Ｇ画素Ｃｇに係る階調と輝度との関係、及びＢ画素Ｃｂに係る階調と輝度との関係を導出する。なお、各画素に係る階調と輝度との関係を、以下「階調特性」と称する。
【００５４】
最大輝度算出部３１５は、目標情報ＤＤと、色度情報ＣＤとに基づき、目標白色の階調に応じてＲＧＢ画素Ｃｒ，Ｃｇ，Ｃｂから発せられる各色の光の最大輝度、すなわちＲ色の光の最大輝度、Ｇ色の光の最大輝度、及びＢ色の光の最大輝度をそれぞれ算出する。
【００５５】
変換ルール設定部３１６は、階調特性導出部３１４で導出されたＲＧＢ画素の階調特性と、最大輝度算出部３１５で算出されたＲＧＢ色の最大輝度とに基づき、Ｒ色に係る階調変換ルール、Ｇ色に係る階調変換ルール、及びＢ色に係る階調変換ルールを設定する。この変換ルール設定部３１６で設定された各色に係る階調変換ルールは、記憶制御部２２に送信され、記憶部３０に階調変換ルールを示す変換テーブル３１が格納される。
【００５６】
＜有機ＥＬパネルの基本特性＞
図３は、ＲＧＢ画素Ｃｒ，Ｃｇ，Ｃｂをそれぞれ構成する画素回路Ｃｃｒ，Ｃｃｇ、Ｃｃｂの構成例を示す回路図である。
【００５７】
画素回路Ｃｃｒ，Ｃｃｇ、Ｃｃｂは、それぞれ同様な構成を有し、有機ＥＬ素子ＯＬＥＤ、駆動トランジスタ２、閾値（Ｖth）補償用トランジスタ３、及びコンデンサ４を備えている。
【００５８】
有機ＥＬ素子ＯＬＥＤは、発光層を流れる電流によって発光輝度が変化する発光素子であり、アノード電極１ａとカソード電極１ｂとを有する。アノード電極１ａは、有機ＥＬ素子ＯＬＥＤの発光時に高電位側となる電源線Ｌｖｄに対して電気的に接続され、カソード電極１ｂは、有機ＥＬ素子ＯＬＥＤの発光時に低電位側となる電源線Ｌｖｓに対して駆動トランジスタ２を介して電気的に接続される。
【００５９】
駆動トランジスタ２は、有機ＥＬ素子ＯＬＥＤに対して電気的に直列に接続され、有機ＥＬ素子ＯＬＥＤを流れる電流を調整することで有機ＥＬ素子ＯＬＥＤの発光輝度を制御する。ここでは、駆動トランジスタ２が、キャリアが電子であるタイプ（ｎ型）のＭＩＳ（Metal Insulator Semiconductor）構造を採用した電界効果トランジスタ（FET:Field Effect Transistor）の一種である薄膜トランジスタ（TFT：Thin Film Transistor）、すなわちｎ−ＭＩＳＦＥＴＴＦＴによって構成される。
【００６０】
この駆動トランジスタ２は、第１〜３電極２ｄｓ，２ｓｄ，２ｇを有している。第１電極２ｄｓは、有機ＥＬ素子ＯＬＥＤのカソード電極１ｂに対して電気的に接続され、有機ＥＬ素子ＯＬＥＤが発光する際、すなわち有機ＥＬ素子ＯＬＥＤに対して順方向の電流が流れる際にドレイン電極（以下「ドレイン」と略称）として機能する。第２電極２ｓｄは、電源線Ｌｖｓに対して電気的に接続され、有機ＥＬ素子ＯＬＥＤに対して順方向の電流が流れる際にソースとして機能する。第３電極２ｇは、いわゆるゲート電極（以下「ゲート」と略称）であり、コンデンサ４の一方の電極（後述する第７電極４ａ）に対して電気的に接続される。
【００６１】
そして、駆動トランジスタ２では、第３電極２ｇに印加される電位、詳細にはゲートとソースとの間に印加される電圧が調整されることで、第１電極２ｄｓと第２電極２ｓｄとの間（以下「第１−２電極間」とも称する）において流れる電流、すなわち、有機ＥＬ素子ＯＬＥＤのアノード電極１ａとカソード電極１ｂとの間において流れる電流が制御される。また、第３電極２ｇに印加される電位により、駆動トランジスタ２は、第１−２電極間において電流が流れ得る状態（導通状態）と、電流が流れ得ない状態（非導通状態）とに選択的に設定される。
【００６２】
Ｖth補償用トランジスタ３は、駆動トランジスタ２が導通状態となる場合の、駆動トランジスタ２の第２電極２ｓｄに対する第３電極２ｇの電位の下限値（所定の閾値電圧Ｖth）を検出するとともに、駆動トランジスタ２のゲート電圧を、閾値電圧Ｖth（以下「閾値Ｖth」と略称）に調整するトランジスタである。なお、ここでは、Ｖth補償用トランジスタ３も、ｎ−ＭＩＳＦＥＴＴＦＴによって構成されている。
【００６３】
このＶth補償用トランジスタ３は、第４〜６電極３ｄｓ，３ｓｄ，３ｇを有している。第４電極３ｄｓは、駆動トランジスタ２の第１電極２ｄｓと有機ＥＬ素子ＯＬＥＤのカソード電極１ｂとを電気的に接続する配線に対して導電可能に接続される。第５電極３ｓｄは、駆動トランジスタ２の第３電極（ゲート）２ｇとコンデンサ４の第７電極４ａとを電気的に接続する配線に対して接続点Ｔ１にて導電可能に接続される。第６電極３ｇは、ゲートであり、走査信号線Ｌｓｓに対して電気的に接続される。
【００６４】
また、Ｖth補償用トランジスタ３では、第６電極３ｇに印加される電位、より具体的にはゲートとソースとの間に印加される電圧が調整されることで、第４電極３ｄｓと第５電極３ｓｄとの間（以下「第４−５電極間」とも称する）において流れる電流が調整される。
【００６５】
ここで、有機ＥＬ素子ＯＬＥＤは、電流値によって発光輝度が制御されるため、発光時における駆動トランジスタ２のゲート電圧のゆらぎに対して、発光輝度が敏感に変動する。特に、駆動トランジスタ２がアモルファスシリコンを用いて構成された場合には、駆動トランジスタ２ごとに閾値Ｖthが異なる傾向にある。よって、画素毎に異なる閾値Ｖthを補償する機能を持たせないと、所望の発光輝度と実際の発光輝度との間に若干の乖離が生じ、結果として画素間で発光輝度のムラが生じてしまう。そこで、Ｖth補償用トランジスタ３は、発光前において画素ごとに駆動トランジスタ２のゲート電圧を閾値Ｖthに合わせることで、駆動トランジスタ２における閾値Ｖthのばらつきを補償する。
【００６６】
コンデンサ４は、駆動トランジスタ２の第３電極２ｇに対して電気的に接続される第７電極４ａと、画像信号線Ｌｉｓに対して電気的に接続される第８電極４ｂとを備えて構成されている。
【００６７】
このような構成を有する画素回路Ｃｃｒ，Ｃｃｇ、Ｃｃｂでは、有機ＥＬ素子ＯＬＥＤの発光時における駆動トランジスタ２のソースの電位に対するゲートの電位、いわゆるゲート電圧をＶｇｓとすると、下式(１)が成立する。
【００６８】
【数１】
0005172299.tif 000002
【００６９】
上式(１)のａ，ｄは定数であり、有機ＥＬ素子ＯＬＥＤの発光時において駆動トランジスタ２で流れる電流をＩdsとすると、下式(２)が成立する。
【００７０】
【数２】
0005172299.tif 000003
【００７１】
上式(２)のうち、Ｗは駆動トランジスタ２の所謂チャンネル幅であり、Ｌは駆動トランジスタ２の所謂チャンネル長であり、μeffは駆動トランジスタ２の移動度であり、Ｃoxは駆動トランジスタ２のゲート絶縁膜の面積当たりの容量である。
【００７２】
ここで、有機ＥＬ素子ＯＬＥＤの輝度は、有機ＥＬ素子ＯＬＥＤのアノード電極１ａとカソード電極１ｂとの間において流れる電流の密度にほぼ比例するため、有機ＥＬ素子ＯＬＥＤの輝度は、画像信号線Ｌｉｓに印加される画素データ信号の電圧の２乗に比例する。
【００７３】
従って、画素データ信号の電圧に対応する階調をＸ、有機ＥＬ素子ＯＬＥＤの輝度の平方根をＹrtとすると、Ｙrt＝ｂ×Ｘ＋ｃの一次式の関係が成立する。
【００７４】
そして、２つの階調Ｘ1，Ｘ2における有機ＥＬ素子ＯＬＥＤの輝度の平方根をそれぞれＹrt1，Ｙrt2（単位は、ｃｄ1/2／ｍ）とすると、下式(３)が成立する。
【００７５】
【数３】
0005172299.tif 000004
【００７６】
なお、上式(３)では、Ｙrtは輝度の平方根である為、常に０以上の数となる。よって、上式(３)で単純にＹrt＜０となる条件下では、Ｙrt＝０となるものとする。
【００７７】
＜階調変換ルールの設定方法＞
本実施形態において階調変換ルールを設定する際には、いわゆる色分解の原理を利用するため、まず、色分解の原理について説明する。
【００７８】
○色分解の原理：
ＣＩＥのＸＹＺ表色系については、２色以上の光を足すと、ＸＹＺのそれぞれの和となる性質、いわゆる混色の線形性がある。このため、ＲＧＢの３色の光が足される場合には、下式(４)〜(６)が成立する。
【００７９】
【数４】
0005172299.tif 000005
【００８０】
また、ＣＩＥのＸＹＺ表色系のＸＹＺと、Ｙｘｙ表色系のｘｙｚとの間には下式(７)〜(９)が成立する。
【００８１】
【数５】
0005172299.tif 000006
【００８２】
更に、上式(７)〜(９)より、下式(１０)，(１１)が導き出される。
【００８３】
【数６】
0005172299.tif 000007
【００８４】
そして、Ｒ色の色度をｘR，ｙR、Ｇ色の色度をｘG，ｙG、Ｂ色の色度をｘB，ｙB、混色である目標白色の３つの刺激値をＸw，Ｙw，Ｚw、Ｒ色の輝度をＹR、Ｇ色の輝度をＹG、Ｂ色の輝度をＹBとすると、上式(４)〜(１１)より、下記行列式(１２)が導き出される。
【００８５】
【数７】
0005172299.tif 000008
【００８６】
また、上記行列式(１２)のうちの３×３の行列の逆行列は、下式(１３)で示される。
【００８７】
【数８】
0005172299.tif 000009
【００８８】
ここで、目標白色の色度をｘW，ｙWとして、上式(１３)で示される逆行列を上記行列式(１２)の両辺に乗じた上で、Ｘ，Ｙ，Ｚをｘ，ｙ，Ｙに変換することにより、下記行列式(１４)が得られる。
【００８９】
【数９】
0005172299.tif 000010
【００９０】
上記行列式(１４)により、目標白色の輝度ＹW、及び目標白色の色度ｘW，ｙW、Ｒ色の色度ｘR，ｙR、Ｇ色の色度をｘG，ｙG、Ｂ色の色度をｘB，ｙBが分かっている場合には、ＲＧＢの３色の輝度ＹR，ＹG，ＹBが求まる。
【００９１】
○色分解を用いた階調変換ルールの設定：
図４は、第１実施形態に係る階調変換ルールの設定の流れを示す図である。なお、図４では、演算に用いるデータや演算で算出されるデータが示されており、各データには、Ｖ１〜Ｖ９の符号が付されている。以下、図４を参照しつつ、第１実施形態に係る階調変換ルールの設定方法について、具体例を挙げて説明する。
【００９２】
ここでは、表示部を有する基板を準備する準備工程としては、例えば、γ変換部２３で、６ビット（Ｎ＝６）の全６４階調で示される入力画像信号が、入力画像信号よりもビット数の多い１０ビット（Ｍ＝１０）の全１０２４階調の表示用画像信号に変換され、表示部１０で表示用画像信号に応じたＲＧＢ画素の発光が行われる場合を想定する。この場合、変換テーブル３１は、各色について、６ビットの全６４段階の階調（ここでは０〜６３階調）に含まれる各階調に対し、１０ビットの全１０２４段階の階調（ここでは０〜１０２３階調）で示される階調が対応付けられたものとなる。また、階調参照テーブル３２は、０階調に対して０階調が対応付けられ、６３階調に対して１０２３階調が対応付けられ、残りの１〜６２階調に対して、１〜１０２２階調を略均等に６３分割する階調が、数が小さなものから順にそれぞれ対応付けられたものとなる。
【００９３】
本実施形態では、上述したように、第１取得工程及び第２取得工程として、例えば第１及び第２階調に応じてＲＧＢ画素Ｃｒ，Ｃｇ，Ｃｂからそれぞれ発せられる光の輝度と色度とが測定される。この第１及び第２階調は、該第１及び第２階調に応じてＲＧＢ画素Ｃｒ，Ｃｇ，Ｃｂがそれぞれ０ｃｄ／ｍ2を超える輝度を有する光をそれぞれ発するように設定される。ここでは、ＲＧＢ画素Ｃｒ，Ｃｇ，Ｃｂがそれぞれ確実に発光すると予測される２つの階調として、第１階調が０〜６３階調のうちの最大階調である６３階調に設定され、第２階調が０〜６３階調のうちの中間の階調（中間階調）である３１階調に設定されている例を挙げる。
【００９４】
ここで、ＲＧＢ画素Ｃｒ，Ｃｇ，Ｃｂの設計上、Ｒ画素Ｃｒから発せられるＲ色の光の色度がｘR＝0.672，ｙR＝0.327、Ｇ画素Ｃｇから発せられるＧ色の光の色度がｘG＝0.254，ｙG＝0.689、Ｂ画素Ｃｂから発せられるＢ色の光の色度がｘB＝0.141，ｙB＝0.135であるものとする。このＲＧＢの色度が図４の既知のデータＶ２に相当する。また、目標白色の輝度がＹW＝165.3[ｃｄ／ｍ2]、目標白色の色度がｘW＝0.295，ｙW＝0.345であるものとする。この目標白色の輝度、色度が図４の既知のデータＶ７に相当する。
【００９５】
また、階調・測定制御部３１１からの最大階調（ここでは６３階調）に係る信号に応じてＲＧＢ画素Ｃｒ，Ｃｇ，Ｃｂが同時に発光した際に、自動光学測定器２００によって輝度ＹW63＝279.5[ｃｄ／ｍ2]，色度ｘW63＝0.317，ｙW63＝0.404が得られたものとする。この最大階調に応じてＲＧＢ画素Ｃｒ，Ｃｇ，Ｃｂから発せられた光の輝度と色度が図４の実測値であるデータＶ１に相当する。更に、階調・測定制御部３１１からの中間階調（ここでは３１階調）に係る信号に応じてＲＧＢ画素Ｃｒ，Ｃｇ，Ｃｂが同時に発光した際に、自動光学測定器２００によって輝度ＹW31＝37.3[ｃｄ／ｍ2]，色度ｘW31＝0.302，ｙW31＝0.393が得られたものとする。この中間階調に応じてＲＧＢ画素Ｃｒ，Ｃｇ，Ｃｂから発せられた光の輝度と色度が図４の実測値であるデータＶ３に相当する。
【００９６】
そして、階調・測定制御部３１１からの６３階調に係る信号に応じてＲ画素Ｃｒから発せられる光の輝度をＹR63、階調・測定制御部３１１からの６３階調に係る信号に応じてＧ画素Ｃｇから発せられる光の輝度をＹG63、階調・測定制御部３１１からの６３階調に係る信号に応じてＢ画素Ｃｂから発せられる光の輝度をＹB63とし、図４のデータＶ２に相当するＲＧＢ色の色度ｘR＝0.672，ｙR＝0.327，ｘG＝0.254，ｙG＝0.689，ｘB＝0.141，ｙB＝0.135と、図４のデータＶ１に相当する６３階調に係る輝度ＹW63＝279.5，色度ｘW63＝0.317，ｙW63＝0.404とを上式(１４)に代入すると、下式(１５)が得られる。
【００９７】
【数１０】
0005172299.tif 000011
【００９８】
上式(１５)を解くこと、すなわち図４で示す色分解の演算Ｃａ１により、図４のデータＶ４に相当するＹR63＝55.72[ｃｄ／ｍ2]、ＹG63＝190.77[ｃｄ／ｍ2]、ＹB63＝33.02[ｃｄ／ｍ2]が得られる。
【００９９】
また、階調・測定制御部３１１からの３１階調に係る信号に応じてＲ画素Ｃｒから発せられる光の輝度をＹR31、階調・測定制御部３１１からの３１階調に係る信号に応じてＧ画素Ｃｇから発せられる光の輝度をＹG31、階調・測定制御部３１１からの３１階調に係る信号に応じてＢ画素Ｃｂから発せられる光の輝度をＹB31とし、図４のデータＶ２に相当するＲＧＢ色の色度ｘR＝0.672，ｙR＝0.327，ｘG＝0.254，ｙG＝0.689，ｘB＝0.141，ｙB＝0.135と、図４のデータＶ３に相当する３１階調に係る輝度ＹW31＝37.3，色度ｘW31＝0.302，ｙW31＝0.393とを上式(１４)に代入して、解くこと、すなわち図４で示す色分解の演算Ｃａ２により、図４のデータＶ５に相当するＹR31＝7.44[ｃｄ／ｍ2]、ＹG31＝25.47[ｃｄ／ｍ2]、ＹB31＝4.41[ｃｄ／ｍ2]が得られる。
【０１００】
そして、導出工程として、例えば図４のデータＶ４，５に相当する６３階調及び３１階調といった２つの階調に対するＲＧＢ色の輝度と、図４のデータＶ２に相当するＲＧＢ色の色度とを上式(３)に代入することで、図４の演算Ｃａ３が行われて、下式(１６)〜(１８)が得られる。
【０１０１】
【数１１】
0005172299.tif 000012
【０１０２】
この上式(１６)〜(１８)が、図４のデータＶ６のＲＧＢ画素Ｃｒ，Ｃｇ，Ｃｂの階調特性に相当する。
【０１０３】
なお、上式(１６)〜(１８)に従って、各色について階調と輝度の平方根との関係をプロットすると、図５で示すようなグラフが得られる。図５では、横軸が階調・測定制御部３１１によって設定される階調を示し、縦軸が輝度の平方根を示し、丸のプロットＰｒがＲ色について階調と輝度の平方根との関係を示し、四角のプロットＰｇがＧ色について階調と輝度の平方根との関係を示し、三角のプロットＰｂがＢ色について階調と輝度の平方根との関係を示している。図５で示すように、各色とも、所定の階調までは輝度がほぼ零であり、該所定の階調以上では、階調の増加に比例して、輝度の平方根が上昇する。
【０１０４】
ここで、算出工程として、例えば図４のデータＶ２に相当するＲＧＢ色の色度と、図４のデータＶ７に相当する目標白色の輝度、色度とを、上式(１４)に代入して、解くこと、すなわち図４で示す色分解の演算Ｃａ４により、図４のデータＶ８に相当する目標白色の発光に必要なＲＧＢの輝度ＹR＝35.4[ｃｄ／ｍ2]、ＹG＝99.3[ｃｄ／ｍ2]，ＹB＝30.6[ｃｄ／ｍ2]がそれぞれ求まる。つまり、ＲＧＢ色の目標とする最大輝度（目標最大輝度）ＹRmax＝35.4[ｃｄ／ｍ2]、ＹGmax＝99.3[ｃｄ／ｍ2]，ＹBmax＝30.6[ｃｄ／ｍ2]がそれぞれ求まる。
【０１０５】
最後に、目標白色の発光に必要なＲＧＢの輝度ＹR＝35.4[ｃｄ／ｍ2]、ＹG＝99.3[ｃｄ／ｍ2]，ＹB＝30.6[ｃｄ／ｍ2]が、ＲＧＢそれぞれの入力階調の最大値で得られるように階調変換ルールが生成される。つまり、設定工程として、例えば図４のデータＶ６に相当するＲＧＢの階調特性と、図４のデータＶ８に相当する目標白色の発光に必要なＲＧＢの輝度とを用いた演算Ｃａ５により、図４のデータＶ９に相当する階調変換ルールが得られる。
【０１０６】
ここで、演算Ｃａ５について説明する。なお、ＲＧＢの各色について同様な演算が行われるため、ここでは、Ｇ色の階調変換ルールの生成を代表例として説明する。
【０１０７】
まず、上式(１７)で示すＧ画素Ｃｇの階調特性を、Ｇ色の目標最大輝度ＹGmaxで規格化すると、下式(１９)が得られる。
【０１０８】
【数１２】
0005172299.tif 000013
【０１０９】
そして、この規格化した値と、入力階調Ｌimgを入力階調の最大値（ここでは６３）で規格化してγ乗した値とが等価となるように、階調変換ルールが生成される。具体的には、下式(２０)が成立するように、階調変換ルールが生成される。
【０１１０】
【数１３】
0005172299.tif 000014
【０１１１】
ここでは、例えば、ディスプレイについて一般的に成立するγ＝２．２を用いて、階調変換ルールを生成すれば良い。
【０１１２】
但し、６４段階の入力階調Ｌimg＝０〜６３を上式(２０)に順次に代入した場合にそれぞれ算出される６４個の階調Ｘは、入力階調に対応する６ビットで表現された階調となる。このため、算出された６ビットで表現された階調が、上記階調参照テーブル３２で示されるような６ビットで表現された階調と１０ビットで表現された階調との関係に従って、表示用の階調Ｌdispに対応する１０ビットで表現された階調に変換されることで、６４段階の入力階調Ｌimg＝０〜６３にそれぞれ対応する６４段階の表示用の階調Ｌdispが算出される。
【０１１３】
図６は、Ｇ色の階調特性からＧ色の階調変換ルールを設定する方法について例示する模式図である。図６では、図５の四角のプロットを結んだ太線ＴＬがＧ色の階調特性として示されている。また、Ｇ色の階調特性について、ＹGmax＝99.3[ｃｄ／ｍ2]が実現される階調を所定値Ｖｂ（ここでは約４８）とされている。そして、図６で示すように、太線ＴＬで示すＧ色に階調特性については、階調が０〜第１所定値Ｖａ（ここでは約１２）では輝度が零のままで、階調が第１所定値Ｖａ〜第２所定値Ｖｂでは、階調の増加に比例して輝度の平方根が直線状に増加する。
【０１１４】
ここでは、例えば、入力階調の最小値Ｌimg＝０に対応する表示用の階調Ｌdispが０となり、入力階調の最大値Ｌimg＝６３に対応する表示用の階調Ｌdispが、第２所定値Ｖｂに対応する１０ビットで表現された階調となる。また、残りの６２段階の入力階調Ｌimg＝１〜６２にそれぞれ対応する１０ビットで表現された表示用の階調Ｌdispについては、第１所定値Ｖａ〜第２所定値Ｖｂまでの階調の範囲Ｒｎを６３等分する６２段階の６ビットで表現される階調が、上記階調参照テーブル３２で示されるような６ビットで表現された階調と１０ビットで表現された階調との関係に従って、表示用の階調Ｌdispに対応する１０ビットで表現された階調にそれぞれ変換された階調となる。なお、１０ビットで表現された表示用の階調Ｌdispを求める際には、必要に応じて四捨五入や補間演算等を用いて、表示用の階調Ｌdispを整数とすることが好ましい。
【０１１５】
図７は、γ＝２．２として生成された階調変換ルールの具体例を示す図である。
【０１１６】
図７では、６ビットで表現される６４段階の入力階調Ｌimgに対して、それぞれＲ色の表示用の階調ＬRdisp、Ｇ色の表示用の階調ＬGdisp、及びＢ色の表示用の階調ＬBdispが対応付けられたテーブルのデータ内容が示されている。本実施形態では、変換ルール設定部３１６によって設定された階調変換ルールが、記憶制御部２２を介して記憶部３０に格納されることで、図７で示すような変換テーブル３１が設定される。
【０１１７】
図８は、目標白色に係る入力階調Ｌimgと輝度の１／γ乗との関係を示す図である。
【０１１８】
図８では、図７で示した変換テーブル３１に従って、ＲＧＢ色の入力階調Ｌimgが等価な場合に、その入力階調Ｌimgを０〜６３まで変化させた際に有機ＥＬパネル１１から発せられる光の輝度（実測値）の１／γ乗が、四角のプロットで示されている。つまり、図８では、入力階調Ｌimgと目標白色の色度の光の輝度の１／γ乗との関係が示されている。
【０１１９】
図８で示すように、四角のプロットが直線状に並んでおり、階調変換ルールが適正に設定されていることが分かる。
【０１２０】
＜階調変換ルールの設定動作＞
図９は、第１実施形態に係る階調変換ルールの設定動作フローを示すフローチャートである。なお、本動作フローは、ＲＧＢ画素Ｃｒ，Ｃｇ，Ｃｂが配列された表示部１０が準備されて開始される。
【０１２１】
ステップＳ１では、階調・測定制御部３１１、階調設定部２１、及びＴＧ２４により、有機ＥＬパネル１１の全画素、すなわちＲＧＢ画素Ｃｒ，Ｃｇ，Ｃｂにおいて、それぞれ最大階調に応じた発光が開始される。この最大階調は、階調が６ビットで表現される場合には、例えば６３階調となる。
【０１２２】
ステップＳ２では、階調・測定制御部３１１の制御下で、自動光学測定器２００により、ＲＧＢ画素Ｃｒ，Ｃｇ，Ｃｂから発せられる光の輝度及び色度が測定される。つまり、最大階調に応じてＲＧＢ画素Ｃｒ，Ｃｇ，Ｃｂが同時に発光した状態で、ＲＧＢ画素Ｃｒ，Ｃｇ，Ｃｂから発せられる光の輝度及び色度が測定される。このとき、白色発光情報取得部３１２により、自動光学測定器２００による測定結果を示す情報が取得される。
【０１２３】
ステップＳ３では、ＴＧ２４により、ＲＧＢ画素Ｃｒ，Ｃｇ，Ｃｂにおける最大階調に応じた発光が終了される。
【０１２４】
ステップＳ４では、階調・測定制御部３１１、階調設定部２１、及びＴＧ２４により、有機ＥＬパネル１１の全画素、すなわちＲＧＢ画素Ｃｒ，Ｃｇ，Ｃｂにおいて、それぞれ中間階調に応じた発光が開始される。この中間階調は、階調が６ビットで表現される場合には、例えば３１階調となる。
【０１２５】
ステップＳ５では、階調・測定制御部３１１の制御下で、自動光学測定器２００により、ＲＧＢ画素Ｃｒ，Ｃｇ，Ｃｂから発せられる光の輝度及び色度が測定される。つまり、中間階調に応じてＲＧＢ画素Ｃｒ，Ｃｇ，Ｃｂが同時に発光した状態で、ＲＧＢ画素Ｃｒ，Ｃｇ，Ｃｂから発せられる光の輝度及び色度が測定される。このとき、白色発光情報取得部３１２により、自動光学測定器２００による測定結果を示す情報が取得される。
【０１２６】
ステップＳ６では、ＴＧ２４により、ＲＧＢ画素Ｃｒ，Ｃｇ，Ｃｂにおける中間階調に応じた発光が終了される。
【０１２７】
ステップＳ７では、各色輝度算出部３１３により、ステップＳ２で測定された輝度及び色度と、ＲＧＢ画素Ｃｒ，Ｃｇ，Ｃｂから発せられるＲＧＢ色の色度を示す色度情報ＣＤとを用いた色分解の演算により、最大階調に応じてＲＧＢ画素Ｃｒ，Ｃｇ，Ｃｂから発せられる光の輝度がそれぞれ算出される。つまり、最大階調に応じてＲ画素Ｃｒから発せられる光の輝度、最大階調に応じてＧ画素Ｃｇから発せられる光の輝度、及び最大階調に応じてＢ画素Ｃｂから発せられる光の輝度がそれぞれ取得される。
【０１２８】
ステップＳ８では、各色輝度算出部３１３により、ステップＳ５で測定された輝度及び色度と、ＲＧＢ色の色度を示す色度情報ＣＤとを用いた色分解の演算により、中間階調に応じてＲＧＢ画素Ｃｒ，Ｃｇ，Ｃｂから発せられる光の輝度がそれぞれ算出される。つまり、中間階調に応じてＲ画素Ｃｒから発せられる光の輝度、中間階調に応じてＧ画素Ｃｇから発せられる光の輝度、及び中間階調に応じてＢ画素Ｃｂから発せられる光の輝度がそれぞれ取得される。
【０１２９】
ステップＳ９では、階調特性導出部３１４により、ステップＳ７及びステップＳ８でそれぞれ得られた輝度に基づき、ＲＧＢ画素Ｃｒ，Ｃｇ，Ｃｂに係る階調と輝度との関係、すなわち階調特性が導出される。
【０１３０】
ステップＳ１０では、最大輝度算出部３１５により、目標白色の階調に応じてＲＧＢ画素Ｃｒ，Ｃｇ，Ｃｂから発せられる光の輝度及び色度を示す目標情報ＤＤと、ＲＧＢ色の色度を示す色度情報ＣＤとを用いた色分解の演算によって、目標白色の階調に応じてＲＧＢ画素Ｃｒ，Ｃｇ，Ｃｂから発せられるＲＧＢ色の光の最大輝度ＹRmax，ＹGmax，ＹBmaxがそれぞれ算出される。
【０１３１】
ステップＳ１１では、変換ルール設定部３１６により、ステップＳ９で導出されたＲＧＢ画素Ｃｒ，Ｃｇ，Ｃｂに係る階調特性と、ステップＳ１０で算出されたＲＧＢ色の光の最大輝度ＹRmax，ＹGmax，ＹBmaxとに基づき、ＲＧＢ色に係る階調変換ルールが設定される。このとき、記憶制御部２２により、記憶部３０に変換テーブル３１が記憶される。
【０１３２】
図１０は、目標情報ＤＤに含まれる目標白色の輝度、及び最大輝度算出部３１５によって算出されたＲＧＢ色の最大輝度ＹRmax，ＹGmax，ＹBmaxからなる予想された輝度（予測輝度）と、入力階調の最大値（ここでは６３）に応じてＲＧＢ画素Ｃｒ，Ｃｇ，Ｃｂを実際に発光させた際に実測された輝度（実測輝度）とを比較する図である。この実測輝度は、ＲＧＢの入力階調の最大値（ここでは６３）がγ変換部２３により変換テーブル３１に従って１０ビットで表現される表示用の階調に変換されて、ＲＧＢ画素Ｃｒ，Ｃｇ，Ｃｂがそれぞれ発光した際のＲＧＢ色の最大輝度、及びＲＧＢ画素Ｃｒ，Ｃｇ，Ｃｂが同時に発光した際の設定上の白色の最大輝度の実測値とを含む。
【０１３３】
図１０で示すように、実測輝度と予測輝度との誤差が極めて小さく、実測輝度がほぼ予測輝度どおりの結果となることが分かった。
【０１３４】
以上のように、第１実施形態に係るルール設定システム１では、２つの階調に応じて３色の画素からそれぞれ発せられる光の輝度が測定を通じて求められ、この得られた２つの階調に係る輝度に基づき、３色に係る階調変換ルールが設定される。このため、光学的な測定に要する時間が短縮され、画像信号を表示用画像信号に変換する変換ルールが高速で設定される。具体的には、２回の光学的な測定で、３色に係る階調変換ルールが設定されるため、光学的な測定に要する時間の短縮が可能である。
【０１３５】
＜第２実施形態＞
上記第１実施形態に係るルール設定システム１では、各色の画素Ｃｒ，Ｃｇ，Ｃｂが確実に発光すると予測される２つの階調に応じて、ＲＧＢ画素Ｃｒ，Ｃｇ，Ｃｂを同時に発光させ、ＲＧＢ画素Ｃｒ，Ｃｇ，Ｃｂから発せられる光の輝度と色度とをそれぞれ測定し、その測定結果に基づき、階調変換ルールが設定された。つまり、第１階調（例えば、最大階調）に係る光の輝度及び色度を示す実測値であるデータＶ１と、第２階調（例えば、中間階調）に係る光の輝度及び色度を示す実測値であるデータＶ３とに基づき、階調変換ルールが設定された。
【０１３６】
これに対して、第２実施形態に係るルール設定システム１Ａでは、第１階調（例えば、最大階調）に応じて、ＲＧＢ画素Ｃｒ，Ｃｇ，Ｃｂを同時に発光させ、ＲＧＢ画素Ｃｒ，Ｃｇ，Ｃｂから発せられる光の輝度と色度とを測定することなく、自動光学測定器２００によって、第１階調（例えば、最大階調）に応じてＲＧＢ画素Ｃｒ，Ｃｇ，Ｃｂを別々のタイミングで発光させて、ＲＧＢ画素Ｃｒ，Ｃｇ，Ｃｂからそれぞれ発せられる光の輝度及び色度が測定によって直接得られる。つまり、データＶ２〜Ｖ４が実測によって得られる。
【０１３７】
図１１は、第２実施形態に係るルール設定システム１Ａの機能構成を示す図である。
【０１３８】
第２実施形態に係るルール設定システム１Ａは、第１実施形態に係るルール設定システム１と比較して、ＰＣ記憶部３２０から色度情報ＣＤが削除され、プログラムＰＧがプログラムＰＧＡに変更され、プログラムＰＧが実行されてＰＣ制御部３１０で実現される階調・測定制御部３１１、白色発光情報取得部３１２、各色輝度算出部３１３、階調特性導出部３１４、及び最大輝度算出部３１５が、プログラムＰＧＡが実行されてＰＣ制御部３１０で実現される階調・測定制御部３１１Ａ、発光情報取得部３１２Ａ、各色輝度取得部３１３Ａ、階調特性導出部３１４Ａ、及び最大輝度算出部３１５Ａに変更されている。
【０１３９】
以下、第２実施形態に係るルール設定システム１Ａについて、第１実施形態に係るルール設定システム１と異なる点について説明する。
【０１４０】
階調・測定制御部３１１Ａは、第１実施形態に係る階調・測定制御部３１１と比較して、ほぼ同様な機能を有するが、階調設定部２１に対して送信する階調が、ＲＧＢ画素Ｃｒ，Ｃｇ，Ｃｂを別々のタイミングで第１階調（ここでは最大階調）に応じて発光させるような階調となる点、及び階調変換ルールの設定の為に自動光学測定器２００によって輝度及び色度の測定を４回行わせる点で異なっている。
【０１４１】
発光情報取得部３１２Ａは、ＲＧＢ画素Ｃｒ，Ｃｇ，Ｃｂを第１階調に応じて別々のタイミングで合計３回発光させた際における自動光学測定器２００の測定結果である輝度及び色度を示す情報と、ＲＧＢ画素Ｃｒ，Ｃｇ，Ｃｂを第２階調（ここでは中間階調）に応じて同時に発光させた際における自動光学測定器２００の測定結果である輝度及び色度を示す情報とを取得する。このとき、データＶ２も実測によって得られる。ここでは、例えば、ＹR63＝57.8[ｃｄ／ｍ2]、ＹG63＝190.5[ｃｄ／ｍ2]、ＹB63＝33.4[ｃｄ／ｍ2]、Ｒ色の色度ｘR＝0.672，ｙR＝0.327、Ｇ色の色度ｘG＝0.254，ｙG＝0.689、Ｂ色の色度ｘB＝0.141，ｙB＝0.135、輝度ＹW31＝37.3[ｃｄ／ｍ2]，色度ｘW31＝0.302，ｙW31＝0.393が得られる。
【０１４２】
各色輝度取得部３１３Ａは、第２階調に応じて発光情報取得部３１２Ａによって取得された輝度及び色度を示す情報と、発光情報取得部３１２Ａによって取得されたＲＧＢ各色の色度を示す情報とに基づき、第２階調に応じてＲＧＢ画素Ｃｒ，Ｃｇ，Ｃｂを別々に発光させる際にＲＧＢ画素Ｃｒ，Ｃｇ，Ｃｂからそれぞれ発せられる光の輝度をそれぞれ算出する。ここでは、例えば、ＹR31＝7.44[ｃｄ／ｍ2]、ＹG31＝25.47[ｃｄ／ｍ2]、ＹB31＝4.41[ｃｄ／ｍ2]が得られる。
【０１４３】
階調特性導出部３１４Ａは、発光情報取得部３１２Ａによって取得された第１階調に係る３つの輝度と、各色輝度算出部３１３Ａで算出された第２階調に係る３つの輝度とに基づき、ＲＧＢ画素Ｃｒ，Ｃｇ，Ｃｂに係る階調と輝度との関係（すなわち階調特性）をそれぞれ導出する。
【０１４４】
最大輝度算出部３１５Ａは、目標白色の階調に応じてＲＧＢ画素Ｃｒ，Ｃｇ，Ｃｂを同時に発光させた際にＲＧＢ画素Ｃｒ，Ｃｇ，Ｃｂから発せられる光の輝度及び色度と、発光情報取得部３１２Ａによって取得されたＲＧＢ各色の色度を示す情報とに基づき、目標白色の階調に応じてＲＧＢ画素Ｃｒ，Ｃｇ，Ｃｂを発光させるために必要な各色の最大輝度、すなわちＲ色の最大輝度、Ｇ色の最大輝度、及びＢ色の最大輝度をそれぞれ算出する。
【０１４５】
図１２は、第２実施形態に係る階調変換ルールの設定の流れを示す図である。なお、図１２では、図４と同様に、演算に用いるデータや演算で算出されるデータが示されており、各データには、Ｖ２〜Ｖ９の符号が付されている。図１２は、図４からデータＶ１、及び色分解の演算Ｃａ１が削除されたものとなっている。そして、図１２で示す第２実施形態に係る階調変換ルールの設定の流れは、図４で示した第１実施形態に係る階調変換ルールの設定の流れと比較して、データＶ２，Ｖ４を測定によって直接得る点で異なり、その他の点では全く同様な構成を有する。
【０１４６】
図１３及び図１４は、第２実施形態に係る階調変換ルールの設定動作フローを示すフローチャートである。なお、本動作フローは、ＲＧＢ画素Ｃｒ，Ｃｇ，Ｃｂが配列された表示部１０が準備されて開始される。
【０１４７】
ステップＳＴ１では、階調・測定制御部３１１Ａ、階調設定部２１、及びＴＧ２４により、Ｒ画素Ｃｒにおいて、最大階調に応じた発光が開始される。この最大階調は、階調が６ビットで表現される場合には、例えば６３階調となる。
【０１４８】
ステップＳＴ２では、階調・測定制御部３１１Ａの制御下で、自動光学測定器２００により、最大階調に応じてＲ画素Ｃｒが発光した状態において、Ｒ画素Ｃｒから発せられる光の輝度及び色度が測定される。このとき、発光情報取得部３１２Ａにより、自動光学測定器２００による測定結果を示す情報が取得される。
【０１４９】
ステップＳＴ３では、ＴＧ２４により、Ｒ画素Ｃｒにおける最大階調に応じた発光が終了される。
【０１５０】
ステップＳＴ４では、階調・測定制御部３１１Ａ、階調設定部２１、及びＴＧ２４により、Ｇ画素Ｃｇにおいて、最大階調に応じた発光が開始される。
【０１５１】
ステップＳＴ５では、階調・測定制御部３１１Ａの制御下で、自動光学測定器２００により、最大階調に応じてＧ画素Ｃｇが発光した状態において、Ｇ画素Ｃｇから発せられる光の輝度及び色度が測定される。このとき、発光情報取得部３１２Ａにより、自動光学測定器２００による測定結果を示す情報が取得される。
【０１５２】
ステップＳＴ６では、ＴＧ２４により、Ｇ画素Ｃｇにおける最大階調に応じた発光が終了される。
【０１５３】
ステップＳＴ７では、階調・測定制御部３１１Ａ、階調設定部２１、及びＴＧ２４により、Ｂ画素Ｃｂにおいて、最大階調に応じた発光が開始される。
【０１５４】
ステップＳＴ８では、階調・測定制御部３１１Ａの制御下で、自動光学測定器２００により、最大階調に応じてＢ画素Ｃｂが発光した状態において、Ｂ画素Ｃｂから発せられる光の輝度及び色度が測定される。このとき、発光情報取得部３１２Ａにより、自動光学測定器２００による測定結果を示す情報が取得される。
【０１５５】
ステップＳＴ９では、ＴＧ２４により、Ｂ画素Ｃｂにおける最大階調に応じた発光が終了される。
【０１５６】
図１４のステップＳＴ１０では、階調・測定制御部３１１Ａ、階調設定部２１、及びＴＧ２４により、有機ＥＬパネル１１の全画素、すなわちＲＧＢ画素Ｃｒ，Ｃｇ，Ｃｂにおいて、それぞれ中間階調に応じた発光が開始される。この中間階調は、階調が６ビットで表現される場合には、例えば３１階調となる。
【０１５７】
ステップＳＴ１１では、階調・測定制御部３１１の制御下で、自動光学測定器２００により、中間階調に応じてＲＧＢ画素Ｃｒ，Ｃｇ，Ｃｂが同時に発光した状態において、ＲＧＢ画素Ｃｒ，Ｃｇ，Ｃｂから発せられる光の輝度及び色度が測定される。このとき、発光情報取得部３１２Ａにより、自動光学測定器２００による測定結果を示す情報が取得される。
【０１５８】
ステップＳＴ１２では、ＴＧ２４により、ＲＧＢ画素Ｃｒ，Ｃｇ，Ｃｂにおける中間階調に応じた発光が終了される。
【０１５９】
ステップＳＴ１３では、各色輝度取得部３１３ＡによりステップＳＴ１１で測定された輝度及び色度と、発光情報取得部３１２ＡによりステップＳＴ２，ＳＴ５，ＳＴ８で測定されたＲＧＢ色の光の色度とを用いた色分解の演算により、中間階調に応じてＲＧＢ画素Ｃｒ，Ｃｇ，Ｃｂからそれぞれ発せられる光の輝度が算出される。つまり、中間階調に応じてＲ画素Ｃｒから発せられる光の輝度、中間階調に応じてＧ画素Ｃｇから発せられる光の輝度、及び中間階調に応じてＢ画素Ｃｂから発せられる光の輝度が取得される。
【０１６０】
ステップＳＴ１４では、階調特性導出部３１４Ａにより、ステップＳＴ２，ＳＴ５，ＳＴ８，ＳＴ１３でそれぞれ得られた６つの輝度に基づき、ＲＧＢ画素Ｃｒ，Ｃｇ，Ｃｂに係る階調と輝度との関係、すなわち階調特性がそれぞれ導出される。
【０１６１】
ステップＳＴ１５では、最大輝度算出部３１５Ａにより、目標白色の階調に応じてＲＧＢ画素Ｃｒ，Ｃｇ，Ｃｂから発せられる光の輝度及び色度を示す目標情報ＤＤと、ステップＳＴ２，ＳＴ５，ＳＴ８で得られたＲＧＢ色の色度とを用いた色分解により、目標白色の階調に応じてＲＧＢ画素Ｃｒ，Ｃｇ，Ｃｂから発せられるＲＧＢ色の光の最大輝度ＹRmax，ＹGmax，ＹBmaxがそれぞれ算出される。
【０１６２】
ステップＳＴ１６では、変換ルール設定部３１６により、ステップＳＴ１４で導出されたＲＧＢ画素Ｃｒ，Ｃｇ，Ｃｂに係る階調特性と、ステップＳＴ１５で算出されたＲＧＢ色の光の最大輝度ＹRmax，ＹGmax，ＹBmaxとに基づき、ＲＧＢ色に係る階調変換ルールがそれぞれ設定される。このとき、記憶制御部２２により、記憶部３０に変換テーブル３１Ａが記憶される。
【０１６３】
以上のように、第２実施形態に係るルール設定システム１Ａでは、第１及び第２階調のうちの一方の階調に応じてＲＧＢ画素Ｃｒ，Ｃｇ，Ｃｂからそれぞれ発せられる光の輝度及び色度が測定で直接得られる。このため、色分解等の演算の回数が減るため、計算誤差が低減され、階調変換ルールの高精度な設定が可能となる。具体的には、４回の光学的な測定で、３色の階調変換ルールが設定されるため、光学的な測定に要する時間の短縮が可能である。但し、光学的な測定に要する時間をより短縮する観点から言えば、光学的な測定の回数が４回で済む第２実施形態よりも、光学的な測定の回数が２回で済む第１実施形態の方が好ましい。
【０１６４】
また、３色の光の色度についても、光学的な測定で直接得られる。このため、各画素を構成する有機ＥＬ材料の膜厚等において製造上の誤差が生じることで各色の色度が変動するような条件であっても、精度良く階調変換ルールが設定される。
【０１６５】
＜第３実施形態＞
上記第２実施形態に係るルール設定システム１Ａでは、第２階調（例えば、中間階調）に係る輝度と色度を示すデータＶ３と、各色の第１階調（例えば、最大階調）に係る輝度を示すデータＶ４と、ＲＧＢ色の光の色度を示すデータＶ２とが実測によって得られた。これに対して、第３実施形態に係るルール設定システム１Ｂでは、更に、各色の第２階調に係る輝度を示すデータＶ５が実測によって得られる。
【０１６６】
図１５は、第３実施形態に係るルール設定システム１Ｂの機能構成を示す図である。
【０１６７】
第３実施形態に係るルール設定システム１Ｂは、第２実施形態に係るルール設定システム１Ａと比較して、プログラムＰＧＡがプログラムＰＧＢに変更され、プログラムＰＧＡが実行されてＰＣ制御部３１０で実現される階調・測定制御部３１１Ａ、発光情報取得部３１２Ａ、各色輝度取得部３１３Ａ、階調特性導出部３１４Ａ、及び最大輝度算出部３１５Ａが、プログラムＰＧＢが実行されてＰＣ制御部３１０で実現される階調・測定制御部３１１Ｂ、各色輝度取得部３１３Ｂ、階調特性導出部３１４Ｂ、及び最大輝度算出部３１５Ｂに変更されている。
【０１６８】
以下、第３実施形態に係るルール設定システム１Ｂについて、第２実施形態に係るルール設定システム１Ａと異なる点について説明する。
【０１６９】
階調・測定制御部３１１Ｂは、第２実施形態に係る階調・測定制御部３１１Ａと比較して、ほぼ同様な機能を有するが、階調設定部２１に対して送信する階調が、ＲＧＢ画素Ｃｒ，Ｃｇ，Ｃｂを別々のタイミングで第１及び第２階調（例えば、最大階調及び中間階調）に応じて発光させるような階調となる点、及び階調変換ルールを設定するために自動光学測定器２００によって輝度及び色度の測定を６回行わせる点で異なっている。
【０１７０】
各色輝度取得部３１３Ｂは、第１及び第２階調に応じてＲＧＢ画素Ｃｒ，Ｃｇ，Ｃｂが別々のタイミングで合計６回発光した際における自動光学測定器２００の測定結果である輝度及び色度を示す情報を取得する。つまり、データＶ４，Ｖ５が実測によって得られる。ここでは、例えば、ＹR63＝57.8[ｃｄ／ｍ2]、ＹG63＝190.5[ｃｄ／ｍ2]、ＹB63＝33.4[ｃｄ／ｍ2]、Ｒ色の色度ｘR＝0.672，ｙR＝0.327、Ｇ色の色度ｘG＝0.254，ｙG＝0.689、Ｂ色の色度ｘB＝0.141，ｙB＝0.135、ＹR31＝7.20[ｃｄ／ｍ2]、ＹG31＝25.52[ｃｄ／ｍ2]、ＹB31＝4.96[ｃｄ／ｍ2]、Ｒ色の色度ｘR＝0.671，ｙR＝0.327、Ｇ色の色度ｘG＝0.255，ｙG＝0.690、Ｂ色の色度ｘB＝0.144，ｙB＝0.135が得られる。
【０１７１】
なお、第１及び第２階調の何れか一方についてＲＧＢ色の光の色度を実測で得るようにしても良いが、第１及び第２階調についてそれぞれＲＧＢ色の光の色度を実測で得た場合には、第１及び第２階調のうちの何れか一方について得られたＲＧＢ色の光の色度を採用するか、又は第１及び第２階調について得られたＲＧＢ色の光の色度の平均値をＲＧＢ色の色度として採用しても良い。
【０１７２】
階調特性導出部３１４Ｂは、各色輝度取得部３１３Ｂによって取得された第１及び第２階調に係る６つの輝度に基づき、各色の画素Ｃｒ，Ｃｇ，Ｃｂに係る階調と輝度との関係（すなわち階調特性）を導出する。
【０１７３】
最大輝度算出部３１５Ｂは、目標白色の階調に応じてＲＧＢ画素Ｃｒ，Ｃｇ，Ｃｂを同時に発光させた際にＲＧＢ画素Ｃｒ，Ｃｇ，Ｃｂから発せられる光の輝度及び色度と、各色輝度取得部３１３Ｂによって取得されたＲＧＢ各色の光の色度を示す情報とに基づき、目標白色の階調に応じてＲＧＢ画素Ｃｒ，Ｃｇ，Ｃｂを発光させるために必要な各色の最大輝度、すなわちＲ色の最大輝度、Ｇ色の最大輝度、及びＢ色の最大輝度をそれぞれ算出する。
【０１７４】
図１６は、第３実施形態に係る階調変換ルールの設定の流れを示す図である。なお、図１６では、図４及び図１２と同様に、演算に用いるデータや演算で算出されるデータが示されており、各データには、Ｖ２，Ｖ４〜Ｖ９の符号が付されている。図１６は、図１２からデータＶ３、及び色分解の演算Ｃａ２が削除されたものとなっている。そして、図１６で示す第３実施形態に係る階調変換ルールの設定の流れは、図１２で示した第２実施形態に係る階調変換ルールの設定の流れと比較して、データＶ５を測定によって直接的に得る点で異なり、その他の点では全く同様な構成を有する。
【０１７５】
図１７から図１９は、第３実施形態に係る階調変換ルールの設定動作フローを示すフローチャートである。なお、本動作フローは、ＲＧＢ画素Ｃｒ，Ｃｇ，Ｃｂが配列された表示部１０が準備されて開始される。
【０１７６】
ステップＳＰ１では、階調・測定制御部３１１Ｂ、階調設定部２１、及びＴＧ２４により、Ｒ画素Ｃｒにおいて、最大階調に応じた発光が開始される。この最大階調は、階調が６ビットで表現される場合には、例えば６３階調となる。
【０１７７】
ステップＳＰ２では、階調・測定制御部３１１Ｂの制御下で、自動光学測定器２００により、最大階調に応じてＲ画素Ｃｒが発光した状態において、Ｒ画素Ｃｒから発せられる光の輝度及び色度が測定される。このとき、各色輝度取得部３１３Ｂにより、自動光学測定器２００による測定結果を示す情報が取得される。
【０１７８】
ステップＳＰ３では、ＴＧ２４により、Ｒ画素Ｃｒにおける最大階調に応じた発光が終了される。
【０１７９】
ステップＳＰ４では、階調・測定制御部３１１Ｂ、階調設定部２１、及びＴＧ２４により、Ｇ画素Ｃｇにおいて、最大階調に応じた発光が開始される。
【０１８０】
ステップＳＰ５では、階調・測定制御部３１１Ｂの制御下で、自動光学測定器２００により、最大階調に応じてＧ画素Ｃｇが発光した状態において、Ｇ画素Ｃｇから発せられる光の輝度及び色度が測定される。このとき、各色輝度取得部３１３Ｂにより、自動光学測定器２００による測定結果を示す情報が取得される。
【０１８１】
ステップＳＰ６では、ＴＧ２４により、Ｇ画素Ｃｇにおける最大階調に応じた発光が終了される。
【０１８２】
ステップＳＰ７では、階調・測定制御部３１１Ｂ、階調設定部２１、及びＴＧ２４により、Ｂ画素Ｃｂにおいて、最大階調に応じた発光が開始される。
【０１８３】
ステップＳＰ８では、階調・測定制御部３１１Ｂの制御下で、自動光学測定器２００により、最大階調に応じてＢ画素Ｃｂが発光した状態において、Ｂ画素Ｃｂから発せられる光の輝度及び色度が測定される。このとき、各色輝度取得部３１３Ｂにより、自動光学測定器２００による測定結果を示す情報が取得される。
【０１８４】
ステップＳＰ９では、ＴＧ２４により、Ｂ画素Ｃｂにおける最大階調に応じた発光が終了される。
【０１８５】
図１８のステップＳＰ１０では、階調・測定制御部３１１Ｂ、階調設定部２１、及びＴＧ２４により、Ｒ画素Ｃｒにおいて、中間階調に応じた発光が開始される。この中間階調は、階調が６ビットで表現される場合には、例えば３１階調となる。
【０１８６】
ステップＳＰ１１では、階調・測定制御部３１１Ｂの制御下で、自動光学測定器２００により、中間階調に応じてＲ画素Ｃｒが発光した状態において、Ｒ画素Ｃｒから発せられる光の輝度及び色度が測定される。このとき、各色輝度取得部３１３Ｂにより、自動光学測定器２００による測定結果を示す情報が取得される。
【０１８７】
ステップＳＰ１２では、ＴＧ２４により、Ｒ画素Ｃｒにおける中間階調に応じた発光が終了される。
【０１８８】
ステップＳＰ１３では、階調・測定制御部３１１Ｂ、階調設定部２１、及びＴＧ２４により、Ｇ画素Ｃｇにおいて、中間階調に応じた発光が開始される。
【０１８９】
ステップＳＰ１４では、階調・測定制御部３１１Ｂの制御下で、自動光学測定器２００により、中間階調に応じてＧ画素Ｃｇが発光した状態において、Ｇ画素Ｃｇから発せられる光の輝度及び色度が測定される。このとき、各色輝度取得部３１３Ｂにより、自動光学測定器２００による測定結果を示す情報が取得される。
【０１９０】
ステップＳＰ１５では、ＴＧ２４により、Ｇ画素Ｃｇにおける中間階調に応じた発光が終了される。
【０１９１】
ステップＳＰ１６では、階調・測定制御部３１１Ｂ、階調設定部２１、及びＴＧ２４により、Ｂ画素Ｃｂにおいて、中間階調に応じた発光が開始される。
【０１９２】
ステップＳＰ１７では、階調・測定制御部３１１Ｂの制御下で、自動光学測定器２００により、中間階調に応じてＢ画素Ｃｂが発光した状態において、Ｂ画素Ｃｂから発せられる光の輝度及び色度が測定される。このとき、各色輝度取得部３１３Ｂにより、自動光学測定器２００による測定結果を示す情報が取得される。
【０１９３】
ステップＳＰ１８では、ＴＧ２４により、Ｂ画素Ｃｂにおける中間階調に応じた発光が終了される。
【０１９４】
図１９のステップＳＰ１９では、階調特性導出部３１４Ｂにより、ステップＳＰ２，ＳＰ５，ＳＰ８，ＳＰ１１，ＳＰ１４，ＳＰ１７でそれぞれ得られた輝度に基づき、ＲＧＢ画素Ｃｒ，Ｃｇ，Ｃｂに係る階調と輝度との関係、すなわち階調特性が導出される。
【０１９５】
ステップＳＰ２０では、最大輝度算出部３１５Ｂにより、目標白色の階調に応じてＲＧＢ画素Ｃｒ，Ｃｇ，Ｃｂから発せられる光の輝度及び色度を示す目標情報ＤＤと、ステップＳＰ２，ＳＰ５，ＳＰ８，ＳＰ１１，ＳＰ１４，ＳＰ１７で得られたＲＧＢ色の光の色度とを用いた色分解により、目標白色の階調に応じてＲＧＢ画素Ｃｒ，Ｃｇ，Ｃｂからそれぞれ発せられるＲＧＢ色の光の最大輝度ＹRmax，ＹGmax，ＹBmaxがそれぞれ算出される。
【０１９６】
ステップＳＰ２１では、変換ルール設定部３１６により、ステップＳＰ１９で導出されたＲＧＢ画素Ｃｒ，Ｃｇ，Ｃｂに係る階調特性と、ステップＳＰ２０で算出されたＲＧＢ色の光の最大輝度ＹRmax，ＹGmax，ＹBmaxとに基づき、ＲＧＢ色に係る階調変換ルールがそれぞれ設定される。このとき、記憶制御部２２により、記憶部３０に変換テーブル３１Ｂが記憶される。
【０１９７】
以上のように、第３実施形態に係るルール設定システム１Ｂでは、第１及び第２階調に応じて３色の画素から発せられる光の輝度や色度が光学的な測定により直接得られる。このため、色分解等の演算回数が更に減ることによって計算誤差が更に低減され、変換ルールの設定における精度が更に高まる。但し、光学的な測定に要する時間をより短縮する観点から言えば、光学的な測定の回数が６回で済む第３実施形態よりも、光学的な測定の回数が４回で済む第２実施形態の方が好ましく、更に、光学的な測定の回数が２回で済む第１実施形態の方が好ましい。
【０１９８】
また、第３実施形態に係るルール設定システム１Ｂでは、第２実施形態に係るルール設定システム１Ａと同様に、３色の光の色度についても、光学的な測定で直接得られる。このため、各画素を構成する有機ＥＬ材料の膜厚等において製造上の誤差が生じることで各色の光の色度が変動するような条件であっても、精度良く階調変換ルールが設定される。
【０１９９】
＜変形例＞
以上、この発明の実施形態について説明したが、この発明は上記説明した内容のものに限定されるものではない。
【０２００】
◎例えば、上記実施形態では、ＲＧＢの３色全てについて、２つの階調に応じて発せられる光の輝度に基づき、階調と輝度との関係が導出され、所望の白色の輝度と色度を実現するための各色の最大輝度がそれぞれ算出されて、変換テーブル３１，３１Ａ，３１Ｂが設定されたが、これに限られない。例えば、ＲＧＢのうちの少なくとも１色について、第１及び第２階調に応じて画素から発せられる光の輝度に基づき、階調と輝度との関係が導出され、目標白色の輝度と色度を実現するための最大輝度がそれぞれ算出されて、階調変換ルールが設定されても、階調変換ルールの設定の高速化が図られる。
【０２０１】
また、例えば、第１及び第２階調のうちの少なくとも一方の階調に応じて少なくとも１色の画素から発せられる光の輝度が光学的な測定で直接得られるような構成が採用されると、色分解等の演算の回数が減るため、計算誤差の低減を図ることができ、変換ルールの高精度な設定が可能となる。
【０２０２】
更に、第１及び第２階調の双方に応じて少なくとも１色の画素からそれぞれ発せられる光の輝度が光学的な測定で直接得られるような構成が採用されると、色分解等の演算の回数がより減るため、更なる計算誤差の低減を図ることができ、変換ルールの設定における精度を更に高めることができる。
【０２０３】
◎また、上記第２実施形態では、第２階調に応じてＲＧＢ画素Ｃｒ，Ｃｇ，Ｃｂを同時に発光させた際にＲＧＢ画素Ｃｒ，Ｃｇ，Ｃｂから発せられる光の輝度と色度を示すデータＶ３、及び第１階調（例えば、最大階調）に応じてＲＧＢ画素Ｃｒ，Ｃｇ，Ｃｂから別々に発せられる３色の光の輝度を示すデータＶ４が実測されたが、これに限られず、例えば、第２階調（例えば、中間階調）に応じてＲＧＢ画素Ｃｒ，Ｃｇ，Ｃｂから別々に発せられる３色の光の輝度を示すデータＶ５、及び第１階調に応じてＲＧＢ画素Ｃｒ，Ｃｇ，Ｃｂを同時に発光させた際にＲＧＢ画素Ｃｒ，Ｃｇ，Ｃｂから発せられる光の輝度と色度を示すデータＶ１が実測されても良い。
【０２０４】
◎また、上記第１乃至第３実施形態では、画像表示装置１００が組み立てられた状態で変換テーブル３１，３１Ａ，３１Ｂが設定されたが、これに限られない。例えば、変換テーブル３１，３１Ａ，３１Ｂが設定された後に、表示部１０、制御部２０、及び記憶部３０などによって画像表示装置１００が組み立てられても良い。このような構成では、変換テーブル３１，３１Ａ，３１Ｂの設定時と、実際に画像表示装置１００の駆動時とで、異なる制御部を用いても構わない。具体的には、制御部２０の機能のうちの階調設定部２１と記憶制御部２２とを含む制御部を、変換テーブル３１，３１Ａ，３１Ｂの設定時に使用し、画像表示装置１００を組み立てる際に、制御部２０の機能のうちのγ変換部２３とＴＧ２４とを含む制御部に入れ換えても良い。
【０２０５】
◎また、上記第１乃至第３実施形態では、表示部１０に配列された複数の画素がＲＧＢの３色の光を発する発光素子を有していたが、これに限られず、例えば、全画素が同色（例えば、白色）の光を発する発光素子を有し、各発光素子の前面に適宜設けられた３色のフィルタによって、複数の画素がＲＧＢの３色の光を発するようにしても良い。
【０２０６】
◎また、上記第１乃至第３実施形態では、表示部１０がＲＧＢの３色の光を発するものとして説明したが、これに限られず、例えば、マゼンタ（Ｍ）、シアン（Ｃ）、イエロー（Ｙ）等といった異なる３つの有彩色の光を発するものであっても良い。つまり、表示部１０が、第１色の光を発する第１画素と、第１色とは異なる第２色の光を発する第２画素と、第１及び第２色の光とは異なる第３色の光を発する第３画素とが配列されたものであっても良い。
【０２０７】
◎また、上記第１乃至第３実施形態では、表示部１０に配列された複数の画素が３色の光を発したが、これに限られず、例えば、ＲＧＢの３色に加えて、ホワイト（Ｗ）等といった更に異なる色を加えた４色以上の光を表示部１０が発するようにしても良い。
【０２０８】
◎また、上記第１乃至第３実施形態では、変換テーブル３１，３１Ａ，３１Ｂが設定用ＰＣ３００において設定されて、記憶部３０に格納されたが、これに限られず、例えば、設定用ＰＣ３００の全部又は一部の機能を、制御部２０に持たせても良い。
【図面の簡単な説明】
【０２０９】
【図１】本発明の第１実施形態に係るルール設定システムの概要を示す図である。
【図２】本発明の第１実施形態に係るルール設定システムの機能構成を示す図である。
【図３】画素回路の構成を例示する回路図である。
【図４】本発明の第１実施形態に係る階調変換ルールの設定の流れを示す図である。
【図５】各色画素の階調特性を示す図である。
【図６】階調特性から階調変換ルールを設定する方法について示す図である。
【図７】階調変換ルールの具体例を示す図である。
【図８】目標白色に係る入力階調と輝度との関係を示す図である。
【図９】本発明の第１実施形態に係る階調変換ルールの設定動作フローを示すフローチャートである。
【図１０】予測輝度と実測輝度とを比較するための図である。
【図１１】本発明の第２実施形態に係るルール設定システムの機能構成を示す図である。
【図１２】本発明の第２実施形態に係る階調変換ルールの設定の流れを示す図である。
【図１３】本発明の第２実施形態に係る階調変換ルールの設定動作フローを示すフローチャートである。
【図１４】本発明の第２実施形態に係る階調変換ルールの設定動作フローを示すフローチャートである。
【図１５】本発明の第３実施形態に係るルール設定システムの機能構成を示す図である。
【図１６】本発明の第３実施形態に係る階調変換ルールの設定の流れを示す図である。
【図１７】本発明の第３実施形態に係る階調変換ルールの設定動作フローを示すフローチャートである。
【図１８】本発明の第３実施形態に係る階調変換ルールの設定動作フローを示すフローチャートである。
【図１９】本発明の第３実施形態に係る階調変換ルールの設定動作フローを示すフローチャートである。
【符号の説明】
【０２１０】
１，１Ａ，１Ｂ  ルール設定システム
１０  表示部
２０  制御部
３０  記憶部
３１，３１Ａ，３１Ｂ  変換テーブル
１００  画像表示装置
２００  自動光学測定器
３００  設定用ＰＣ
３１１，３１１Ａ，３１１Ｂ  階調・測定制御部
３１２  白色発光情報取得部
３１２Ａ  発光情報取得部
３１３  各色輝度算出部
３１３Ａ，３１３Ｂ  各色輝度取得部
３１４，３１４Ａ，３１４Ｂ  階調特性導出部
３１５，３１５Ａ，３１５Ｂ  最大輝度算出部
３１６  変換ルール設定部
３２０  ＰＣ記憶部
ＣＤ  色度情報
Ｃｂ  Ｂ画素
Ｃｇ  Ｇ画素
Ｃｒ  Ｒ画素
ＤＤ  目標情報
ＰＧ，ＰＧＡ，ＰＧＢ  プログラム
【図１】
0005172299.tif 000015
【図２】
0005172299.tif 000016
【図３】
0005172299.tif 000017
【図４】
0005172299.tif 000018
【図５】
0005172299.tif 000019
【図６】
0005172299.tif 000020
【図７】
0005172299.tif 000021
【図８】
0005172299.tif 000022
【図９】
0005172299.tif 000023
【図１０】
0005172299.tif 000024
【図１１】
0005172299.tif 000025
【図１２】
0005172299.tif 000026
【図１３】
0005172299.tif 000027
【図１４】
0005172299.tif 000028
【図１５】
0005172299.tif 000029
【図１６】
0005172299.tif 000030
【図１７】
0005172299.tif 000031
【図１８】
0005172299.tif 000032
【図１９】
0005172299.tif 000033